(57)【要約】      （修正有）【訣題】災害発生時、収納庫内の内容物（例えば、飲料水、非常用食材等）を利用できると共に、蓄電池の電力をも利用することができるソーラーパネル付き収納庫を提供する。【解決手段】ソーラーパネル付き収納庫１００は、屋外に設置され、内部に収納物を収納するための箱状の収納庫１と、表面が太陽に向かい、裏面が収納庫１の天板１Ｄから離間するように、収納庫１の天板１Ｄに対して傾斜して収納庫１の上部に取り付けられたソーラーパネル３と、収納庫１内に設置され、ソーラーパネル３が発電する電力を蓄える蓄電池とを備えている。【選択図】図１
0003176818.tif 000002
【実用新案登録請求の範囲】
【請求項１】
屋外に設置され、内部に収納物を収納するための箱状の収納庫と、
表面が太陽に向かい、裏面が前記収納庫の天板から離間するように、前記収納庫の天板に対して傾斜して前記収納庫の上部に取り付けられたソーラーパネルと、
前記収納庫内に設置され、前記ソーラーパネルが発電する電力を蓄える蓄電池と、
を備えていることを特徴とするソーラーパネル付き収納庫。
【請求項２】
ソーラーパネルの周囲は支持枠で構成され、
前記支持枠の下枠と収納庫の上部とは、蝶番により支持され、
前記蝶番により支持された前記支持枠の下枠の幅は、取り付けた前記収納庫の幅寸法と同じか、又は、取り付けた前記収納庫の幅寸法より大である
こと特徴とする請求項１記載のソーラーパネル付き収納庫。
【請求項３】
ソーラーパネルの周囲は支持枠で構成され、
前記支持枠の下枠と収納庫の上部とは、蝶番により支持され、
前記支持枠の側枠と収納庫の上部とは、伸縮自在のステーにより支持され、
前記伸縮自在のステーを伸ばして、前記ソーラーパネルを収納庫の天板に対して傾斜させ、
前記伸縮自在のステーを縮めて、前記ソーラーパネルを前記収納庫の天板に対して平行に位置させる
こと特徴とする請求項１又は請求項２記載のソーラーパネル付き収納庫。
【請求項４】
ソーラーパネルの周囲は支持枠で構成され、
前記支持枠の下枠と収納庫の上部とは、蝶番により支持され、
前記支持枠の側枠と収納庫の上部とは、伸縮自在のステーにより支持され、
前記支持枠の側枠に前記側枠を貫通する第１の穴を設け、
収納庫の底板より前記収納庫の天板に近い前記収納庫の側壁に第２の穴を設け、
蓄電池の過充電、過放電を防止するチャージコントローラを前記収納庫の内部に設け、
前記チャージコントローラと前記ソーラーパネルを前記第１の穴及び前記第２の穴を介してケーブルで接続し、
前記伸縮自在のステーを伸ばして、前記ソーラーパネルを収納庫の天板に対して傾斜させ、
前記伸縮自在のステーを縮めて、前記ソーラーパネルを前記収納庫の天板に対して平行に位置させる
ことを特徴とする請求項１〜３のいずれかに記載のソーラーパネル付き収納庫。
【考案の詳細な説明】
【技術分野】
【０００１】
本考案は、ソーラーパネル付き収納庫に係り、特に、災害発生時、収納庫内の内容物（例えば、飲料水、非常用食材等）を利用できると共に、蓄電池の電力をも利用することができるソーラーパネル付き収納庫に関する。
【背景技術】
【０００２】
従来、例えば、内部に災害用備品を収納可能なソーラー式照明装置付きの防災備蓄倉庫として、ソーラー受光面を庫外へ露見して太陽光により起電可能な太陽電池（３１）、該太陽電池（３１）によって充電される蓄電池（３２）、庫内を照明可能な照明灯（３３）を備え、蓄電池（３２）を電源として照明灯（３３）を点灯制御するソーラー式照明装置（３０）とを備えているものがある（例えば、特許文献参照）。
【先行技術文献】
【特許文献】
【０００３】
特開２０００−１７８８１号公報  図１
【考案の概要】
【考案が解決しようとする課題】
【０００４】
ところが、上記ソーラー式照明装置付きの防災備蓄倉庫にあっては、蓄電池（３２）は照明灯（３３）を点灯制御するためのもので、天井壁部１２の大きさに比べ、太陽電池（３１）の大きさも小さく、災害時の電源として照明以外に使用できず、しかも、太陽電池（３１）の裏面は天井壁部１２に当接し、天井壁部１２が太陽光により熱せられ、太陽電池（３１）の裏面は熱伝導により温度が上昇し、太陽電池（３１）の発電効率を低下させるという問題点があった。
【０００５】
本考案は、上記の問題点を除去するようにしたソーラーパネル付き収納庫を提供することを目的とする。
【課題を解決するための手段】
【０００６】
請求項１記載のソーラーパネル付き収納庫は、屋外に設置され、内部に収納物を収納するための箱状の収納庫と、表面が太陽に向かい、裏面が前記収納庫の天板から離間するように、前記収納庫の天板に対して傾斜して前記収納庫の上部に取り付けられたソーラーパネルと、前記収納庫内に設置され、前記ソーラーパネルが発電する電力を蓄える蓄電池とを備えているものである。
【０００７】
また、請求項２記載のソーラーパネル付き収納庫は、請求項１記載のソーラーパネル付き収納庫において、ソーラーパネルの周囲は支持枠で構成され、前記支持枠の下枠と収納庫の上部とは、蝶番により支持され、前記蝶番により支持された前記支持枠の下枠の幅は、取り付けた前記収納庫の幅寸法と同じか、又は、取り付けた前記収納庫の幅寸法より大である。
【０００８】
また、請求項３記載のソーラーパネル付き収納庫は、請求項１又は請求項２記載のソーラーパネル付き収納庫において、ソーラーパネルの周囲は支持枠で構成され、前記支持枠の下枠と収納庫の上部とは、蝶番により支持され、前記支持枠の側枠と収納庫の上部とは、伸縮自在のステーにより支持され、前記伸縮自在のステーを伸ばして、前記ソーラーパネルを収納庫の天板に対して傾斜させ、前記伸縮自在のステーを縮めて、前記ソーラーパネルを前記収納庫の天板に対して平行に位置させるものである。
【０００９】
また、請求項４記載のソーラーパネル付き収納庫は、請求項１〜３のいずれかに記載のソーラーパネル付き収納庫において、ソーラーパネルの周囲は支持枠で構成され、前記支持枠の下枠と収納庫の上部とは、蝶番により支持され、前記支持枠の側枠と収納庫の上部とは、伸縮自在のステーにより支持され、前記支持枠の側枠に前記側枠を貫通する第１の穴を設け、収納庫の底板より前記収納庫の天板に近い前記収納庫の側壁に第２の穴を設け、蓄電池の過充電、過放電を防止するチャージコントローラを前記収納庫の内部に設け、前記チャージコントローラと前記ソーラーパネルを前記第１の穴及び前記第２の穴を介してケーブルで接続し、前記伸縮自在のステーを伸ばして、前記ソーラーパネルを収納庫の天板に対して傾斜させ、前記伸縮自在のステーを縮めて、前記ソーラーパネルを前記収納庫の天板に対して平行に位置させるものである。
【考案の効果】
【００１０】
請求項１記載のソーラーパネル付き収納庫によれば、収納庫内に収納物、例えば、飲料水、非常用食材等を収納していれば、災害発生時、飲料水、非常用食材等を利用できると共に、蓄電池の電力をも利用することができ、しかも、太陽光から天板をある程度遮蔽することができるため、収納庫内の温度上昇を抑制し、収納庫の内容物の損傷を防止でき、加えて、ソーラーパネルの裏面が収納庫の天板から離間するように、収納庫の天板に対して傾斜しているため、ソーラーパネルの裏面側が日陰となると共に、風の通路となりソーラーパネルの裏面側を冷却して、ソーラーパネルの温度上昇を抑制して、ソーラーパネルの発電効率の低下をも防ぐことができる等の効果を有する。
【００１１】
また、請求項２記載のソーラーパネル付き収納庫によれば、上述した請求項１記載の考案の効果に加え、ソーラーパネルの周囲の支持枠と収納庫の上部とを蝶番により支持するため、ソーラーパネルを収納庫に簡易に取り付けることができ、しかも、収納庫の上部の幅寸法を利用して、ソーラーパネルを広くとって、ソーラーパネルで発生する電力を蓄電池に多く蓄えることができる等の効果を有する。
【００１２】
また、請求項３記載のソーラーパネル付き収納庫によれば、上述した請求項１又は請求項２記載の考案の効果に加え、伸縮自在のステーを伸ばして、ソーラーパネルを収納庫の天板に対して傾斜させて使用し、風が強い場合、伸縮自在のステーを縮めて、ソーラーパネルを収納庫の天板に対して平行に位置させるため、風によるソーラーパネル付き収納庫の転倒を防止することができる等の効果を有する。
【００１３】
また、請求項４記載のソーラーパネル付き収納庫によれば、上述した請求項１〜３のいずれかに記載の考案の効果に加え、ソーラーパネルを収納庫の天板に対して平行に位置させた場合、チャージコントローラとソーラーパネルは、支持枠の側枠に設けた第１の穴を介してケーブルで接続されているため、ソーラーパネルと収納庫の天板との間でケーブルを挟むことを防止することができる等の効果を有する。
【図面の簡単な説明】
【００１４】
【図１】図１は、本考案の一実施例のソーラーパネル付き収納庫の概略的斜視図である。
【図２】図２は、図１のソーラーパネル付き収納庫の概略的正面図である。
【図３】図３は、図１のソーラーパネルを収納庫の天板側に回動した状態の概略的右側面図である。
【図４】図４は、図１のソーラーパネル付き収納庫の概略的結線図である。
【図５】図５は、図１のソーラーパネル付き収納庫と異なる他の実施例の概略的斜視図である。
【図６】図６は、図５のソーラーパネル付き収納庫と異なる他の実施例の概略的右側面図である。
【図７】図７は、図６のソーラーパネル付き収納庫と異なる他の実施例の概略的正面図である。
【図８】図８は、図７のソーラーパネル付き収納庫と異なる他の実施例の概略的正面図である。
【考案を実施するための形態】
【００１５】
本考案の一実施例のソーラーパネル付き収納庫を図面を参照して説明する。
図１に示す１００はソーラーパネル付き収納庫で、ソーラーパネル付き収納庫１００は、収納庫１の上部にソーラーパネル３を取り付けている。
収納庫１は、屋外に設置され、内部に収納物を収納するもので、収納庫１の形態は、箱状となっている。収納庫１に収納される内容物は、例えば、非常時の防災用品であり、具体的には、飲料水、非常用食材、薬等である。収納庫１は、左右に開閉できる扉１Ａ、１Ｂを有している。
なお、収納庫１の底板１Ｅより収納庫１の天板１Ｄに近い収納庫１の側壁１Ｃには、第２の穴１Ｃａが設けられている（図１及び図３参照）。
【００１６】
ソーラーパネル３は、太陽電池をいくつも並べて相互接続し、パネル状にしたもので、周囲は支持枠３０で構成されている。また、支持枠３０の下枠３１と収納庫１の上部（収納庫１の上部は、例えば、収納庫１の正面部の最上部である。）とは、蝶番４により支持され、支持枠３０の側枠３２と収納庫１の上部（収納庫１の上部は、例えば、収納庫１の右側面部１Ｃの最上部、収納庫１の左側面部１Ｃ’の最上部である。）とは、伸縮自在のステー５により支持されている。
蝶番４により支持された支持枠３０の下枠３１の幅ｗは、図２に示すように、取り付けた収納庫１の幅寸法Ｗ（Ｗ＝ｗ）と同じでも良く、又は、図示しないが、取り付けた収納庫１の幅寸法Ｗ（Ｗ＜ｗ）より大でも良い。
即ち、ソーラーパネル３の支持枠３０と収納庫１の上部とを蝶番４により支持するため、ソーラーパネル３を収納庫１に簡易に取り付けることができ、しかも、収納庫１の上部を利用して、ソーラーパネル３を広くとって、ソーラーパネル３で発生する電力を後述する蓄電池６に多く蓄えることができる。
また、伸縮自在のステー５は、周知の伸長機構を有し、例えば株式会社タキゲン製の「天蓋用ワンタッチステーＢ−１４７０−１、Ｂ−１４７０−２」である。
ソーラーパネル３の使用時は、図１及び図２に示すように、伸縮自在のステー５を伸ばして、ソーラーパネル３を収納庫１の天板に対して傾斜させ、また、風によるソーラーパネル付き収納庫１００の転倒を防止するために、図３に示すように、伸縮自在のステー５を縮めて、ソーラーパネル３を収納庫１の天板１Ｄに対して平行に位置させるようにしている。
このように、ソーラーパネル３の表面が太陽に向かい、ソーラーパネル３の裏面が収納庫１の天板１Ｄから離間させているのは、太陽光から天板１Ｄをある程度遮蔽させ、収納庫１内の温度上昇を抑制し、収納庫１の内容物の損傷を防止し、加えて、ソーラーパネル３の裏面側が日陰となると共に、風の通路となりソーラーパネル３の裏面側を冷却して、ソーラーパネル３の温度上昇を抑制して、ソーラーパネル３の発電効率の低下をも防ぐためである。
なお、支持枠３０の側枠３２には、側枠３２を貫通する第１の穴３２ａ（図１及び図３参照）が設けられている。
【００１７】
また、図２及び図４に示す６は蓄電池で、蓄電池６は収納庫１内に設置され、ソーラーパネル３が発電する電力を蓄えるものである。７はチャージコントローラで、チャージコントローラ７は、蓄電池６の過充電、過放電を防止するもので、収納庫１の内部に設けられている。８はインバーターで、インバーター８は直流を交流に変換するもので、収納庫１の内部に設けられている。９はコンセントである。
これらソーラーパネル３、蓄電池６、チャージコントローラ７、インバーター８、コンセント９は、図４に示すように、ケーブル１０により接続されている。
このケーブル１０は、収納庫１内に設置されたチャージコントローラ７と収納庫１外に設置されたソーラーパネル３を図３に示す第１の穴３２ａ及び第２の穴１Ｃａを介して接続している。
災害時、コンセント９にＡＣ１００ボルトの家電、例えば、テレビ、パソコン等のケーブルを接続して、非常時電源として利用することができる。
なお、蓄電池６は収納庫１内に設置されているが、収納庫１内から蓄電池６、チャージコントローラ７、インバーター８を取り出して使用することもでき、場合により、蓄電池６のみを収納庫１内から取り出し、他の電源として利用することもできる。
【００１８】
従って、上述したソーラーパネル付き収納庫１００によれば、収納庫１内に収納物、例えば、飲料水、非常用食材等を収納していれば、災害発生時、飲料水、非常用食材等を利用できると共に、蓄電池６の電力をも利用することができ、しかも、太陽光から天板１Ｄをある程度遮蔽することができるため、収納庫１内の温度上昇を抑制し、収納庫１の内容物の損傷を防止でき、加えて、ソーラーパネル３の裏面が収納庫１の天板１Ｄから離間するように、収納庫１の天板１Ｄに対して傾斜しているため、ソーラーパネル２の裏面側が日陰となると共に、風の通路となりソーラーパネル３の裏面側を冷却して、ソーラーパネル３の温度上昇を抑制して、ソーラーパネル３の発電効率の低下をも防ぐことができる等の効果を有する。
【００１９】
なお、上述した実施例においては、伸縮自在のステー５の支持を支持枠３０の側枠３２と収納庫１の右側面部１Ｃの最上部としたが、本願考案にあっては、これに限らず、伸縮自在のステー５の支持を支持枠３０の側枠３２と収納庫１の上部（収納庫１の上部は、収納庫１の天板１Ｄである。）により支持するようにしても良い。
【００２０】
なお、上述した実施例においては、蝶番４の位置を収納庫１の正面部としたが、本願考案にあっては、これに限らず、図６に示すように、蝶番４の位置を収納庫１の背面部としても良く、また、図７に示すように、蝶番４の位置を左側面部としても良く、また、図８に示すように、蝶番４の位置を右側面部としても良い。
【符号の説明】
【００２１】
１００  ソーラーパネル付き収納庫
１      収納庫
１Ｄ    天板
３      ソーラーパネル
６      蓄電池
【図１】
0003176818.tif 000003
【図２】
0003176818.tif 000004
【図３】
0003176818.tif 000005
【図４】
0003176818.tif 000006
【図５】
0003176818.tif 000007
【図６】
0003176818.tif 000008
【図７】
0003176818.tif 000009
【図８】
0003176818.tif 000010